(57)【要約】【課題】従来情報処理装置から印刷部数の設定を行う場合に、入力のミスや前回使用した数値が記憶されている場合、使用者は入力項目の数値をマウスやキーボード等の入力（操作）デバイスを用いて数値を選択、或いは反転させて消去するか、同様の方法で入力カーソルを入力項目にセットし、消去のためのキーを数値がクリアされるまで押下しなければならなかった。【課題を解決するための手段】入力項目の大きさやデザインなどは従来のままに、入力項目の付近にクリアキーを設けることによって、入力ミスや値の変更などの時に容易に入力項目の値をクリアすることが出来る。【選択図】    図１
2004234466.tif 000002
【特許請求の範囲】
【請求項１】
表示装置の画面に入力項目を表示して、選択された入力項目に情報を入力する情報処理装置において、
前記表示装置の画面に画像の印刷部数を入力する数値キーと、クリアキーと、前記数値キーにより入力された印刷部数を前記クリアキーの操作によりクリアするクリア制御手段とを備えた情報処理装置。
【請求項２】
前記クリアキーは前記数値キーの近傍に配置することを特徴とする請求項１に記載の情報処理装置。
【請求項３】
表示装置の画面に入力項目を表示して、選択された入力項目に情報を入力する情報処理装置の情報入力処理方法において、
前記表示装置の画面に画像の印刷部数を入力する為の数値キーとクリアキーを備え、
前記数値キーにより入力された印刷部数を前記クリアキーの操作によりクリアするクリア制御工程とを備えた情報入力処理方法。
【請求項４】
表示装置の画面に入力項目を表示して、選択された入力項目に情報を入力する情報処理装置で実行される情報入力処理プログラムにおいて、
前記表示装置の画面に画像の印刷部数を入力する為の数値キーとクリアキーを備え、
前記数値キーにより入力された印刷部数を前記クリアキーの操作によりクリアするクリア制御工程とを備えた情報入力処理プログラム。
【請求項５】
表示装置の画面に入力項目を表示して、選択された入力項目に情報を入力する情報処理装置において、
前記表示装置の画面に画像の印刷部数を入力する為の数値キーとクリアキーと、
数値キーにより入力された印刷部数をクリアキーの操作により最低印刷部数にするクリア制御手段とを備えたことを特徴とする情報処理装置。
【請求項６】
表示装置の画面に入力項目を表示して、選択された入力項目に情報を入力する情報入力処理方法において、
前記表示装置の画面に画像の印刷部数を入力する為の数値キーとクリアキーと、
数値キーにより入力された印刷部数をクリアキーの操作により最低印刷部数にするクリア制御工程とをさらに備えたことを特徴とする情報入力処理方法。
【請求項７】
表示装置の画面に入力項目を表示して、選択された入力項目に情報を入力する情報処理装置で実行される情報入力処理プログラムにおいて、
前記表示装置の画面に画像の印刷部数を入力する為の数値キーとクリアキーを備え、
数値キーにより入力された印刷部数をクリアキーの操作により最低印刷部数にするクリア制御工程とをさらに備えたことを特徴とする情報入力処理プログラム。
【請求項８】
表示装置の画面に入力項目を表示して、選択された入力項目に情報を入力する情報処理装置において、
前記表示装置の画面に画像の印刷部数を入力する数値キーと、前記数値キーにより入力された印刷部数をクリアするキーとを表示する表示手段と、
前記数値キーにより入力された印刷部数を前記クリアキーの操作によりクリアするクリア制御手段とを備えた情報処理装置。
【請求項９】
前記制御手段は前記クリアキーの繰り返し操作に応じて前記表示されている印刷部数の数値を最低印刷部数にする請求項８記載の情報処理装置。
【請求項１０】
表示装置の画面に入力項目を表示して、選択された入力項目に情報を入力する情報入力処理方法において、
前記表示装置の画面に画像の印刷部数を入力する数値キーと、前記数値キーにより入力された印刷部数をクリアするキーとを表示する表示工程と、
前記数値キーにより入力された印刷部数を前記クリアキーの操作によりクリアするクリア制御工程とを備えた情報入力処理方法。
【請求項１１】
前記クリア制御工程は前記クリアキーの繰り返し操作に応じて前記表示されている印刷部数の数値を最低印刷部数にする請求項１０に記載の情報入力処理方法。
【請求項１２】
表示装置の画面に入力項目を表示して、選択された入力項目に情報を入力する情報入力処理プログラムにおいて、
前記表示装置の画面に画像の印刷部数を入力する数値キーと前記数値キーにより入力された印刷部数をクリアするキーとを表示する表示工程と、
前記表示工程で表示された前記印刷部数を前記クリアキーの操作によりクリアするクリア制御工程とを備えた情報入力処理プログラム。
【請求項１３】
前記制御工程は前記クリアキーの繰り返し操作に応じて前記表示されている印刷部数の数値を最低印刷部数にする請求項１２に記載の情報入力処理プログラム。
【請求項１４】
表示装置の画面に入力項目を表示して、選択された入力項目に情報を入力する情報処理装置において、
前記表示装置の画面に画像の印刷部数を入力する数値キーと、前記数値キーにより入力された印刷部数をクリアするキーとを表示する表示手段と、
前記数値キーにより入力された印刷部数を前記クリアキーの操作により印刷部数の数値を最低印刷部数にする制御手段とを備えた情報処理装置。
【請求項１５】
前記制御工程は前記クリアキーの繰り返し操作に応じて前記表示されている印刷部数の数値を最低印刷部数にする請求項１４に記載の情報処理装置。
【請求項１６】
表示装置の画面に入力項目を表示して、選択された入力項目に情報を入力する情報入力処理方法において、
前記表示装置の画面に画像の印刷部数を入力する数値キーと、前記数値キーにより入力された印刷部数をクリアするキーとを表示する表示工程と、
前記数値キーにより入力された印刷部数を前記クリアキーの操作により印刷部数の数値を最低印刷部数にする制御工程とを備えた情報入力処理方法。
【請求項１７】
表示装置の画面に入力項目を表示して、選択された入力項目に情報を入力する情報入力処理プログラムにおいて、
前記表示装置の画面に画像の印刷部数を入力する数値キーと、前記数値キーにより入力された印刷部数をクリアするキーとを表示する表示工程と、
前記数値キーにより入力された印刷部数を前記クリアキーの操作により印刷部数の数値を最低印刷部数にする制御工程とを備えた情報入力処理プログラム。
【請求項１８】
前記制御工程は前記クリアキーの繰り返し操作に応じて前記表示されている印刷部数の数値を最低印刷部数にする請求項１７に記載の情報入力処理プログラム。
【発明の詳細な説明】
【０００１】
【産業上での利用分野】
本発明は、情報処理装置と接続された印刷装置に対する印刷部数の設定に関するものであり、印刷部数のクリアに関する情報処理装置、情報入力処理方法、情報入力処理プログラムに関するものである。
【０００２】
【従来の技術】
従来情報処理装置から印刷部数の設定を行う場合に、入力のミスや前回使用した数値が記憶されている場合、使用者は入力項目の数値をマウスやキーボード等の入力（操作）デバイスを用いて数値を選択、或いは反転させて消去するか、同様の方法で入力カーソルを入力項目にセットし、消去のためのキーを数値がクリアされるまで押下しなければならなかった。
【０００３】
一般的に入力項目枠は画面に対して小さく、その入力項目の数値を選択、或いは反転させたり、カーソルを設定するのは困難であり、さらにそのあと消去するためのキーを押下していたので、キー操作の行程が多く煩わしいという難点があった。（例えば特許文献１）
【特許文献１】
特開平０８−３２０７８１（第５頁、図５）
【０００４】
【発明が解決しようとする課題】
上記に鑑み、本発明は考案された。
【０００５】
本発明では、入力項目の付近にクリアキーを設けることによって、入力ミスや値の変更などの時に容易に入力項目の値をクリアすることが出来る。
【０００６】
【課題を解決するための手段及び作用】
本発明は、上記の目的を達成するために下記の手段を実施した。
即ち、情報処理装置と接続された印刷装置に対して印刷に関する設定や制御を行う前記情報処理装置の表示画面に複数の入力項目を表示して、選択された入力項目を入力する情報処理装置、情報入力処理方法、或いは情報入力処理プログラムと、
前記情報処理装置、情報入力処理方法、或いは情報入力処理プログラムの入力項目付近に備えられたクリアキーによって、操作者が入力ミス、或いは入力項目の値を変更したい場合に前記クリアキーを押下することにより、容易に値をクリア、或いは前記印刷装置の最小印刷部数にすることが出来る。
【０００７】
【発明の実施の形態】
本発明の実施形態について図面を用いて詳細に説明する。
図１は、本発明を実施した印刷システムを構成する情報処理装置と印刷装置との接続概略図である。
【０００８】
情報処理装置１０１は画面上に見られる印刷装置１０２用のデバイスドライバ（プリンタドライバ）１０４を有しており、情報処理装置１０１と印刷装置１０２としてのカラーカードプリンタがインタフェースケーブル１０３にて接続されている。尚、印刷装置１０２は例えば、記録媒体に名刺の印刷が可能である。
【０００９】
図２は情報処理装置１０１のハードウェア構成を示すブロック図である。
【００１０】
メインＣＰＵ（２０１）のシステムバスはローカルバスとしてのＰＣＩバス２０５、（及び不図示のＩＳＡバス）と夫々、ホスト／ＰＣＩブリッジ２０３等を経由した階層的なバスを有して各ハードウェアと接続される。
【００１１】
尚、メインＣＰＵ２０１のシステムバスにはキャッシュ２０１と呼ぶＳＲＡＭ（Ｓｔａｔｉｃ  Ｒａｎｄｏｍ  Ａｃｃｅｓｓ  Ｍｅｍｏｒｙ）を使用した高速のメモリをもち、メインＣＰＵ２０１が頻繁にアクセスするような、コード、データを記憶する。
【００１２】
メインメモリ２０４はオペレーティングシステム（ＯＳ）、本発明によるアプリケーション（図４、４０１参照）、印刷装置１０２用プリンタドライバモジュール１０４等、実行プログラムの一時的記憶領域で且つ、各プログラム実行のための作業用メモリ領域としても用いられる。これらの実行プログラムは例えばハードディスクドライブＨＤＤ２１７からＩＤＥコントローラ２１６を介して読み出されメインメモリ２０４にロードされたものである。
メインメモリ２０４にはアプリケーションプログラムによって編集されたＲＧＢの表示データ、そして記録装置（１００）用プリンタドライバによってＲＧＢからＣＭＹＫ信号に変換された記録データも一時的に記憶され、アプリケーションプログラムの実行指示によって、表示信号はビデオコントローラ２２３を介してＶＲＡＭ（Ｖｉｄｅｏ−ＲＡＭ）２２４に書き込まれる。
【００１３】
そしてメインメモリ２０４では記録装置へ送信するための、アプリケーションプログラムで生成する（図４にて後述する）各コマンド、記録データをも一時的に記憶する。
各コマンド、記録データは通信インタフェース、例えばＵＳＢ（Ｕｎｉｖｅｒｓａｌ  Ｓｅｒｉａｌ  Ｂｕｓ）２１９を介し、印刷装置１０２に送られる。
【００１４】
ビデオコントローラ２２３はＶＲＡＭ２２４に書き込まれたＲＧＢの表示データを連続的、且つ継続的に読み出し、ＣＲＴ，ＬＣＤ、ＰＤＰ等のディスプレイ２２５にビデオ信号として継続的にデータ転送する。
【００１５】
印刷装置１０２との通信インタフェースはＰＣＩバス２０５に接続されており、使われるインタフェースはＵＳＢの他、双方向セントロニクス（ＩＥＥＥ１２８４）、ＩＥＥＥ１３９４、ネットワーク等がある。
【００１６】
ＲＯＭ２０６はＫＢ＆Ｍコントローラ２１２を介して接続されるキーボード２１３、マウス２１４、ＣＤＤ２１８やＦＤＤ２１５等の入出力機器を制御するＢＩＯＳ（Ｂａｓｉｃ  Ｉｎｐｕｔ  Ｏｕｔｐｕｔ  Ｓｙｓｔｅｍ）プログラム、パワーＯＮ時の初期化、自己診断プログラム等を格納し、ＥＥＰＲＯＭ２０７は恒久的に利用する各種のパラメータを記憶させるための不揮発性のメモリである。
【００１７】
ＣＰＵ２０１は又、ＲＴＣ〈Ｒｅａｌ  Ｔｉｍｅ  Ｃｌｏｃｋ〉２０８を用いて日付け、時刻管理も行なう。最近ではオーディオコントローラ２０９を備え入力用マイク２１０、出力スピーカ２１１を有するものが一般的になっている。
尚、ＣＰＵ２０１は、例えばメインメモリ２０４上に設定された表示情報に基づいて、メインメモリ２０４へのアウトラインフォントの展開（ラスタライズ）処理を実行し、ディスプレイ２２５上でのＷＹＳＩＷＹＧ（表示内容と印刷内容とを一致させる機能：Ｗｈａｔ  Ｙｏｕ  Ｓｅｅ  Ｉｓ  Ｗｈａｔ  Ｙｏｕ  Ｇｅｔ）を実現している。
【００１８】
また前述のプリンタドライバは、後述する表示制御（図６）、例えばディスプレイ２２５の画面に画像の印刷部数を入力するための数値キーと入力された印刷部数をクリアするクリアキーとを表示制御する。
【００１９】
ＣＰＵ２０１はディスプレイ２２５上のマウスカーソル（図６、６０９）等で指示されたコマンドに基づいて登録された種々のウィンドウをディスプレイ２２５の画面上で開き、種々のデータ処理を実行する。
【００２０】
図３は印刷装置１０２の電気的な構成を示すブロック図で、
内部のＣＰＵ３０１は、ＲＯＭ３０３に記憶された制御プログラム等に基づいて、用紙の先端検知センサ３０７等の出力読み出し、各記録ヘッド３１２：Ｋ〈ブラック〉、３１３：Ｃ〈シアン〉、３１４：Ｍ〈マジェンタ〉、そして３１５：Ｙ〈イエロー〉、を上下に移動するヘッドＵ／Ｄモータ３２１、記録ヘッド３１２〜３１５を待機中にキャップ（密閉）する為のキャッピング機構を左右に動かすキャッピングモータ３２２、用紙を搬送する搬送モータ３２３、そして不図示のインクタンクから記録ヘッド３１２〜３１５にインクを供給するポンプモータ３２４等のアクチュエータを統括的に制御する。
【００２１】
ＣＰＵ３０１は又、インタフェースコントローラ３０２にて受信したコマンドを解析、同じく受信した印刷データを各記録ヘッド３１２〜３１５の印刷色に対応したイメージメモリ３１０に夫々書き込む。
ＥＥＰＲＯＭ３０５は記録ヘッド３１２〜３１５のシリアルＮＯ．や記録ヘッド相互のレジストレーション（微小記録位置調整値）等を記憶する不揮発性のメモリであり、ＣＰＵ３０１は又、作業用メモリとしてＲＡＭ３０４を用いる。
【００２２】
印刷装置１０２にはこの他温度センサ３０９により、記録ヘッド３１２〜３１５の現在温度をＡＤコンバータ１３１を介して読み出し、記録制御に反映する機能も有する。
印刷時には搬送される用紙（印刷媒体）の動きに同期して、イメージメモリ３１０に記憶された印刷データが読み出されて、記録ヘッド制御回路３１１〜各記録ヘッド３１２〜３１５に転送され、カラー記録される。
図４は情報処理装置１０１の内部ＣＰＵ２０１により実行されるソフトウェアモジュールの階層構造を示すブロック図である。
【００２３】
アプリケーション４０１、グラフィックエンジン４０２、プリンタドライバ１０４、及びシステムスプーラ４０３は図２で示したＣＤＤ（Ｃｏｍｐａｃｔ  Ｄｉｓｋ  Ｄｒｉｖｅ）２１８やＨＤＤ（Ｈａｒｄ  Ｄｉｓｋ  Ｄｒｉｖｅ）２１７等、外部メモリに保存されたファイルとして存在し、実行される場合にＯＳ（Ｏｐｅｒａｔｉｎｇ  Ｓｙｓｔｅｍ）やアプリケーションプログラム４０１自身によってメインメモリＲＡＭ２０４にロードされ実行されるプログラムモジュールである（図２参照）。
【００２４】
また、アプリケーション４０１及びプリンタドライバ１０４は、ＦＤＤ２１５やＣＤＤ２１８、或いは通信アダプタ２２２〜ネットワークを経由して不図示のサーバ等に追加出来る。
【００２５】
外部メモリに保存されているアプリケーション４０１から印刷装置１０２に対して印刷指示する場合、同様にメインメモリ２０４にロードされ実行可能となっているグラフィックエンジン４０２を利用して出力（描画）を行う。
【００２６】
グラフィックエンジン４０２は、同様にメインメモリ４０２にロードされたプリンタドライバ１０４によって、アプリケーション６０１の出力を印刷装置１０２の制御コマンドに変換する。
【００２７】
変換されたプリンタ制御コマンドはＯＳによってメインメモリ２０４にロードされたシステムスプーラ４０３により、例えばＵＳＢポート２１９等のインタフェース〜プリンタ１０２へ出力される。
【００２８】
プリンタドライバ１０４は、利用者が設定可能な項目に所望の値を設定させるためのユーザインタフェース（ＵＩ）部１０４ａにより実現される画面は（図６にて）後述する通りである。
【００２９】
上記ユーザインタフェース（ＵＩ）部１０４ａの設定画面例を図６に示す。
【００３０】
この画面上で、操作者は印刷部数を設定することが出来る。
操作者は入力項目として印刷部数入力ボックス６０１に希望する印刷部数を設定する。入力方法はマウス２１４等の入力デバイスで印刷部数入力ボックス６０１にマウスカーソル６０９をあわせ、数値を入力する。
数値の入力はキーボード２１３、入力ボックス６０１右横のスピンボタン６０２、或いは画面上の数値入力キー６０４、何れでも良い。
【００３１】
印刷部数入力の際、もし間違った場合には従来と同様、印刷部数入力ボックス６０１にカーソル６０９をあわせ、キーボード２１３の消去キー等で数値を消すことも出来る。
【００３２】
本発明では入力ボックス６０１右側に備えられたクリアキー６０３を押下（クリック）することによって前記印刷装置の最小印刷部数（例えば１）に数値を戻すことが出来る。
【００３３】
本実施例の印刷装置１０２は名刺専用印刷機であり、最小印刷部数は１枚であるため、クリアキー６０３を押下するとデフォルト値は「１」となる。
【００３４】
ＯＫボタン６０５は画面の設定を反映し、画面を閉じる。キャンセルボタン６０６と「Ｘ」ボタン６０８は画面の設定を反映せずに画面を閉じる。適用ボタン６０７は設定を反映するが、画面を閉じないボタンである。
【００３５】
以上の構成からなる実施例の動作説明を図５に示すフローチャートを参照して説明する。
【００３６】
まず、操作者はプリンタドライバのユーザインタフェース画面を開く（ステップ５０１）。
【００３７】
そして入力ミスや前回の印刷部数値を変更する場合等、ディスプレイ２２５上に表示されている印刷部数入力ボックス６０１の値をクリアしたい場合、クリアキー６０３を押下すると、ＣＰＵ２０１が検知（ステップ５０２−Ｙｅｓ）、メインメモリ２０４上の所定エリアに設定されていた印刷部数入力ボックス値を最小印刷部数にセットする（ステップ５０３）。
【００３８】
結果、ディスプレイ２２５上の印刷部数入力ボックス６０１の値を更新する（ステップ５０４）。
【００３９】
以降は、ＯＫボタン６０５、キャンセルボタン６０６が押されるまでは入力待ちとなる。
【００４０】
ＯＫボタン６０５、キャンセルボタン６０６、或いは「Ｘ」ボタン６０８が押下されたら（ステップ５０５−Ｙｅｓ）、ユーザインタフェース画面を閉じ（ステップ５０６）、処理を終了する。
【００４１】
図５のフローチャートでは連続して複数回クリアキーが押される可能性があり、その場合はその都度印刷部数入力ボックス６０１は最小印刷部数にクリアする。
【００４２】
よって使用者にはディスプレイ２２５の画面上は印刷部数入力ボックスの値が変化していないように見える。
【００４３】
以上の構成及び手順で印刷部数値を容易にクリアすることができる。
【００４４】
【発明の効果】
以上に述べたように本発明によれば、印刷部数の入力を間違えた場合、多くの手数をかけることなく、画面上のクリアキーを押下することによってスピーディに最小部数に戻すことが出来る。
【００４５】
【図面の簡単な説明】
【図１】本発明を実施した印刷システムの接続概略図である
【図２】本発明による情報処理装置のブロック図である
【図３】本発明による印刷装置のブロック図である
【図４】本発明によるソフトウェアモジュールの階層的なブロック図である
【図５】本発明による印刷部数クリア時のフローチャートである。
【図６】本発明によるプリンタドライバの印刷部数設定画面の一例を示す図である
【符号の説明】
１０１    情報処理装置
１０２    印刷装置
１０３    インタフェースケーブル
１０４    プリンタ（デバイス）ドライバ
２０１    ＣＰＵ（中央演算処理装置）
２１３    キーボード
２１７    ＨＤＤ（Ｈａｒｄ  Ｄｉｓｋ  Ｄｒｉｖｅ）
２１９    ＵＳＢポート
２２５    ディスプレイ
３０１    ＣＰＵ（中央演算処理装置）
３０２    インタフェースコントローラ
３１０    イメージメモリ
４０１    アプリケーション
４０２    グラフィック・エンジン
４０３    スプーラ
【図１】
2004234466.tif 000003
【図２】
2004234466.tif 000004
【図３】
2004234466.tif 000005
【図４】
2004234466.tif 000006
【図５】
2004234466.tif 000007
【図６】
2004234466.tif 000008